(57)【要約】【目的】ユーザが過去に設定した目的地に関する情報を保存しておき、該保存情報を用いて目的地を簡便に設定可能な「ナビゲーション装置およびその目的地設定方法」を提供することある。【構成】目的地が設定されたとき、該目的地が以前に設定されたことがあるか否か判断し、設定されたことがある場合には、該目的地の設定回数が記憶されている目的地履歴テーブルにおける該設定回数をカウントアップし、該目的地履歴テーブルに記憶されている目的地の中で設定回数が所定回数以上の目的地を抽出し、該抽出した目的地に応じたアイコンを地図と共に画面の所定位置に表示し、該アイコンを用いて、目的地を設定する。更に、該目的地が設定されたとき、該目的地が以前に設定されたことがない場合には、該目的地を目的地履歴テーブルに追加する。【選択図】図１
2010210553.tif 000002
【特許請求の範囲】
【請求項１】
ユーザが過去に設定した目的地に関する情報を保存しておき、該保存情報を用いて目的地設定するナビゲーション装置の目的地設定方法において、
目的地が設定されたとき、該目的地が以前に設定されたことがあるか否か判断するステップ、
設定されたことがある場合には、該目的地の設定回数が記憶されている目的地履歴テーブルにおける該設定回数をカウントアップするステップ、
該目的地履歴テーブルに記憶されている目的地の中で設定回数が所定回数以上の目的地を抽出するステップ、
該抽出した目的地に応じたアイコンを地図と共に画面の所定位置に表示するステップ、
該アイコンを用いて、目的地を設定するステップ、
を備えたことを特徴とするナビゲーション装置の目的地設定方法。
【請求項２】
前記目的地が設定されたとき、該目的地が以前に設定されたことがない場合には、該目的地を目的地履歴テーブルに追加するステップ、
を備えたことを特徴とする請求項１記載のナビゲーション装置の目的地設定方法。
【請求項３】
ユーザが過去に設定した目的地に関する情報を保存しておき、該保存情報を用いて目的地を設定するナビゲーション装置の目的地設定方法において、
目的地が設定されたとき、該目的地が以前に設定されたことがあるか否か判断するステップ、
設定されたことがある場合には、該目的地の設定回数が記憶されている目的地履歴テーブルにおける該設定回数をカウントアップするステップ、
該目的地履歴テーブルに記憶されている目的地の中で設定回数が所定回数以上の目的地を抽出するステップ、
目的地設定方法選択画面の所定位置に前記抽出された目的地に応じたアイコンを表示するステップ、
該アイコンを用いて目的地を設定するステップ、
を備えたことを特徴とするナビゲーション装置の目的地設定方法。
【請求項４】
前記目的地が設定されたとき、該目的地が以前に設定されたことがない場合には、該目的地を目的地履歴テーブルに追加するステップ、
を備えたことを特徴とする請求項３記載のナビゲーション装置の目的地設定方法。
【請求項５】
ユーザが過去に設定した目的地に関する情報を保存しておき、該保存情報を用いて目的地設定するナビゲーション装置において、
現在地あるいは指定された地点付近の地図を表示する表示部と、
任意の施設を目的地として設定する目的地設定部と、
該施設が目的地として設定された回数を記憶する目的地履歴記憶部と、
前記目的地設定部が設定した目的地が以前に設定されたことがあるか否か判断し、設定されたことがある場合には、該目的地履歴記憶部が記憶している該目的地の設定回数をカウントアップし、該目的地履歴記憶部が記憶している目的地の中で設定回数が所定回数以上の目的地を抽出し、該目的地に応じたアイコンを前記表示部に地図と共に画面の所定位置に表示するように制御する制御部と、
を備え、前記目的地設定部は前記アイコンが選択されたときは、目的地として該アイコンが示す目的地を設定することを特徴とするナビゲーション装置。
【請求項６】
前記制御部は、前記目的地が設定されたとき、該目的地が以前に設定されたことがない場合には、前記目的地を前記目的地履歴記憶部に追加するように制御する、ことを特徴とする請求項５記載のナビゲーション装置。
【請求項７】
ユーザが過去に設定した目的地に関する情報を保存しておき、該保存情報を用いて目的地設定するナビゲーション装置において、
目的地設定方法を特定するメニュー画面を表示する表示部と、
所定の目的地設定方法に基づいて、任意の施設を目的地として設定する目的地設定部と、
該施設が目的地として設定された回数を記憶する目的地履歴記憶部と、
該目的地履歴記憶部が記憶している目的地の中で設定回数が所定回数以上の目的地を抽出し、該メニュー画像発生部が発生したメニュー画像を該表示部に目的地設定方法画面の所定位置に目的地として設定可能に表示するように制御する制御部と、
を備え、前記目的地設定部は前記アイコンが選択されたとき、目的地として該アイコンが示す目的地を設定することを特徴とするナビゲーション装置。
【請求項８】
前記制御部は、前記目的地設定部が設定した目的地が以前に設定されたことがあるか否か判断し、設定されたことがある場合には、前記目的地履歴記憶部が記憶している該目的地の設定回数をカウントアップし、設定されたことがない場合には、前記目的地を前記目的地履歴記憶部に追加するように制御する、ことを特徴とする請求項７記載のナビゲーション装置。
【発明の詳細な説明】
【技術分野】
【０００１】
本発明はナビゲーション装置およびその目的地設定方法に係り、特にユーザが過去に設定した目的地に関する情報を保存しておき、該保存情報を用いて目的地設定するナビゲーション装置およびその目的地設定方法に関する。
【背景技術】
【０００２】
ナビゲーション装置は、目的地へ安心して車で訪れることができるようにルート案内を行うものであり、近年、さまざま方式のものが提案されている。それらの中には目的地までのルートを設定して画面に道路地図と設定したルートを表示するものや、そのルートを間違いなく走行できるように曲がるべき交差点に関して残距離や名称、右左折などの情報を提供するものがある。このようなナビゲーション装置では、まずルート設定を行う必要があり、ルート設定を行うには出発地および目的地の設定を行う必要がある。
【０００３】
目的地を設定するには、図８（ａ）のように表示部８１に地図８２、自車位置マーク８３、メニューボタン８４、方位マーク８５、縮尺メニュー８６ａ〜８６ｃが表示されている状態で、メニューボタン８４を押下する。これにより、図８（ｂ）のように表示部８１にＡＶソースメニューボタン８７、ナビメニューボタン８８、その他ボタン８９が表示される。かかる状態で、ナビメニューボタン８８を押下すると、図８（ｃ）のように、目的地設定方法の選択画面が表示され、ここで名称設定ボタン９０ａが選択されると、名称入力による目的地設定が可能となる。また、ジャンル設定ボタン９０ｂが選択されると、図８（ｄ）のようにジャンルがリスト表示され、更にジャンル選択ボタン９１が選択されると、地域別にそれぞれのジャンルとして保存されている施設名がリスト表示されて目的地設定が可能となる。また、電話番号選択ボタン９０ｃが選択されると、図８（ｅ）のようにテンキー９２が表示され電話番号入力による目的地設定が可能となり、目的地履歴設定ボタン９０ｄが選択されると、図８（ｆ）のように過去に目的地として設定された施設が任意の順番（五十音順、目的地設定した日付が新しい順、など）でリスト９３のように表示され、目的地の設定が可能となる。例えば、リスト９３において施設「××××」を選択した場合には、地図９４に施設「××××」９５が表示され、図示しない決定キーにより該施設「××××」を目的地として設定することができる。また、登録地点選択ボタン９０ｅが選択されると、ユーザが登録した施設もしくは地点をリスト表示し、ユーザは該リストより所望の施設もしくは地点を目的地として設定する。また、路線別選択ボタン９０ｆが選択されると、高速道路や電車の路線に基づいた施設がリスト表示される。また住所選択ボタン９０ｇが選択されると、ユーザが所望の施設もしくは地点の住所を入力することにより目的地を設定する。また、現在位置周辺ボタン９０ｈが選択されると、現在位置の周辺の施設が任意の順番（五十音順、現在位置から近い順、など）にリスト表示され、目的地の設定を行う。
【０００４】
ところで、目的地を目的地履歴リストより選択して設定する方法では、五十音順や目的地として設定した日付が新しい順番にリスト表示される。このため、所望の施設の目的地設定回数が多くても、該所望の施設が必ずしもリストの上位に表示されないので、該リストの中から該所望の施設を探し出すためにはユーザにとって時間と手間がかかるという煩わしさがある。
【０００５】
そこで、従来技術として、過去に目的地として設定された施設について目的地設定回数を保存しておき、目的地設定回数が多い施設から目的地履歴リストの上位に表示する技術（特許文献１）がある。
【０００６】
従来技術によれば、ユーザが過去に目的地として設定した施設の目的地設定回数を保存しておき、図８（ｃ）において目的地履歴設定ボタン９０ｄが押下されると、図９に示すように目的地設定回数が多い順に上からリスト表示し、該リストよりユーザは所望の施設を目的地として選択する。この従来技術によれば、ユーザが頻繁に目的地に設定する施設を目的地履歴リストから比較的簡便に選択することができる。
【先行技術文献】
【特許文献】
【０００７】
【特許文献１】特開２００６−３００５５２号公報
【発明の概要】
【発明が解決しようとする課題】
【０００８】
しかしながら、上記従来技術では、図８（ａ）の画面から何度もメニューボタンを選択して、目的地履歴設定を選択し、目的地設定回数が多い施設が上位に表示されたリストを表示させ、該リストより所望の施設を選択しなければならず、ユーザにとって操作性能が悪いという問題がある。
【０００９】
本発明の目的は、ユーザが頻繁に目的地として設定した施設を簡単に選択できるようにし、ユーザに目的地履歴リストから所望の施設を選択する時間と手間をかけさせないことである。
【課題を解決するための手段】
【００１０】
本発明は、ユーザが過去に設定した目的地に関する情報を保存しておき、該保存情報を用いて目的地設定するナビゲーション装置およびその目的地設定方法である。
・目的地設定方法
本発明の第１の目的地設定方法は、目的地が設定されたとき、該目的地が以前に設定されたことがあるか否か判断するステップ、設定されたことがある場合には、該目的地の設定回数が記憶されている目的地履歴テーブルにおける該設定回数をカウントアップするステップ、該目的地履歴テーブルに記憶されている目的地の中で設定回数が所定回数以上の目的地を抽出するステップ、該抽出した目的地に応じたアイコンを地図と共に画面の所定位置に表示するステップ、該アイコンを用いて、目的地を設定するステップ、を備えている。更に、前記目的地が設定されたとき、該目的地が以前に設定されたことがない場合には、該目的地を目的地履歴テーブルに追加するステップ、を備えている。
【００１１】
本発明の第２の目的地設定方法は、目的地が設定されたとき、該目的地が以前に設定されたことがあるか否か判断するステップ、設定されたことがある場合には、該目的地の設定回数が記憶されている目的地履歴テーブルにおける該設定回数をカウントアップするステップ、該目的地履歴テーブルに記憶されている目的地の中で設定回数が所定回数以上の目的地を抽出するステップ、目的地設定方法選択画面の所定位置に前記抽出された目的地に応じたアイコンを表示するステップ、該アイコンを用いて目的地を設定するステップ、を備えている。更に、前記目的地が設定されたとき、該目的地が以前に設定されたことがない場合には、該目的地を目的地履歴テーブルに追加するステップ、を備えている。
【００１２】
・ナビゲーション装置
本発明の第１のナビゲーション装置は、現在地あるいは指定された地点付近の地図を表示する表示部と、任意の施設を目的地として設定する目的地設定部と、該施設が目的地として設定された回数を記憶する目的地履歴記憶部と、前記目的地設定部が設定した目的地が以前に設定されたことがあるか否か判断し、設定されたことがある場合には、該目的地履歴記憶部が記憶している該目的地の設定回数をカウントアップし、該目的地履歴記憶部が記憶している目的地の中で設定回数が所定回数以上の目的地を抽出し、該目的地に応じたアイコンを前記表示部に地図と共に画面の所定位置に表示するように制御する制御部と、を備え、前記目的地設定部は前記アイコンが選択されたときは、目的地として該アイコンが示す目的地を設定する。更に、前記制御部は、前記目的地が設定されたとき、該目的地が以前に設定されたことがない場合には、前記目的地を前記目的地履歴記憶部に追加するように制御する。
【００１３】
本発明の第２のナビゲーション装置は、目的地設定方法を特定するメニュー画面を表示する表示部と、所定の目的地設定方法に基づいて、任意の施設を目的地として設定する目的地設定部と、該施設が目的地として設定された回数を記憶する目的地履歴記憶部と、該目的地履歴記憶部が記憶している目的地の中で設定回数が所定回数以上の目的地を抽出し、該メニュー画像発生部が発生したメニュー画像を該表示部に目的地設定方法画面の所定位置に目的地として設定可能に表示するように制御する制御部と、を備え、前記目的地設定部は前記アイコンが選択されたとき、目的地として該アイコンが示す目的地を設定する。更に、前記制御部は、前記目的地設定部が設定した目的地が以前に設定されたことがあるか否か判断し、設定されたことがある場合には、前記目的地履歴記憶部が記憶している該目的地の設定回数をカウントアップし、設定されたことがない場合には、前記目的地を前記目的地履歴記憶部に追加するように制御する。
【発明の効果】
【００１４】
本発明によれば、ユーザが頻繁に目的地として設定した施設を簡便に目的地として選択することができ、ユーザに目的地履歴リストから所望の施設を選択する時間と手間をかけさせることがない。
【図面の簡単な説明】
【００１５】
【図１】本発明の概略説明図である。
【図２】本発明の第１実施例のナビゲーション装置の構成図である。
【図３】目的地履歴記憶部２６に記憶された目的地履歴テーブルである。
【図４】目的地履歴テーブルにおける目的地設定回数の更新を行う処理フローである。
【図５】本発明の第１実施例の目的地設定用のショートカットアイコンを表示する処理フローである。
【図６】本発明の第２実施例のナビゲーション装置の構成図である。
【図７】本発明の第２実施例の目的地設定用のショートカットアイコンを表示する処理フローである。
【図８】従来技術の目的地設定の表示例である。
【図９】従来技術の目的地履歴設定画面の表示例である。
【発明を実施するための形態】
【００１６】
（Ａ）本発明の概要
図１は本発明の概略説明図である。１は表示画面、２は表示画面１に表示している地図、３は自車位置、４はショートカットアイコン、５は方位マーク、６はメニューを表示するためのメニューボタン、７ａ〜７ｃは地図の縮尺に関する縮尺メニューボタン、８は目的地設定方法選択のメニュー画面、９ａは名称入力により目的地設定を行う名称選択ボタン、９ｂはジャンル選択により目的地設定を行うジャンル選択ボタン、９ｃは電話番号入力により目的地設定を行う電話番号選択ボタン、９ｄは現在位置周辺選択ボタン、９ｅは登録地点選択ボタン、９ｆは目的地履歴選択ボタン、９ｇは住所選択ボタン、９ｈは本発明のショートカットアイコン（一発目的地設定アイコン）を示している。
【００１７】
本発明の第１の目的地設定方法の概要を説明する。ナビゲーション制御部はユーザが過去に目的地として設定した施設の目的地履歴テーブル（図示せず）を読み出し、該目的地履歴テーブルから目的地設定回数が所定回数以上で、かつ、最多の施設を抽出し、該最多設定施設の施設ジャンルに対応付けられているアイコンを読み出す。ここで、最多施設は「×××保育園」とする。ついで、図１（ａ）に示すように、表示画面１に地図画面２を表示し、更に自車位置３、前記施設のアイコン（ショートカットアイコン）４、方位マーク５、メニューボタン６、縮尺メニューボタン７ａ〜７ｃを表示する。かかる状態で、ユーザがショートカットアイコン４を押下すれば、施設「×××保育園」を目的地として認識し、ナビゲーション装置は該施設「×××保育園」への経路誘導を開始する。
【００１８】
次に、本発明の第２の目的地設定方法の概要を説明する。ユーザが図１（ａ）のメニューボタン６を押下して目的地設定操作を行うと、ナビゲーション制御部はユーザが過去に目的地として設定した施設の目的地履歴テーブル（図示せず）を読み出し、該目的地履歴テーブルから目的地設定回数が所定回数以上で、かつ、最多の施設を抽出し、該最多設定施設の施設ジャンルに対応付けられているアイコンを読み出す。ここで、最多施設は「×××保育園」とする。ついで、ナビゲーション制御部は図１（ｂ）に示すように、表示画面１に目的地設定方法選択のメニュー画面８を表示する。このメニュー画面８には名称選択ボタン９ａ、ジャンル選択ボタン９ｂ、電話番号選択ボタン９ｃ、現在位置周辺選択ボタン９ｄ、登録地点選択ボタン９ｅ、目的地履歴選択ボタン９ｆ、住所選択ボタン９ｇ、前記施設のアイコン（ショートカットアイコン９ｈ）が表示される。かかる状態で、ユーザがショートカットアイコン９ｈを押下すれば、施設「×××保育園」を目的地として認識し、ナビゲーション装置は施設「×××保育園」への経路誘導を開始する。
【００１９】
従来技術では、地図表示画面から何度もボタンを選択して、目的地設定回数が多い施設が上位に表示されたリストを表示させ、該リストより所望の施設を選択しなければならず、ユーザにとって操作性能が悪かった。しかし、本発明では目的地設定回数が最多の施設に対応付けられているアイコンを地図表示画面上または目的地設定方法選択のメニュー画面に表示するようにしたので、該アイコンを押下するだけで最多施設を目的地として設定でき、従来技術のようにユーザに目的地履歴リストから所望の施設を選択する時間と手間をかけさせることがない。
尚、ユーザにとってルートが既知であっても、施設を目的地として設定する理由は、経路誘導機能により該施設までの事故発生状況や渋滞状況、到着時刻を把握することができ、しかも渋滞が発生している場合には迂回経路を提供してくれるからである。
【００２０】
（Ｂ）第１実施例
図２は本発明の第１実施例のナビゲーション装置の構成図である。
現在位置算出部２１は図示しない自律航法センサやＧＰＳ受信部を備え、自車の現在位置を算出する。記録媒体２２は地図データを記憶する地図記憶媒体であり、読出部２３は現在位置算出部２１が算出した現在位置に基づいて、記録媒体２２に記憶されている現在位置周辺の地図データを読み出し、地図データ記憶部２４は該読み出した地図データを一時的に記憶する。地図画像発生部２５は地図データ記憶部２４が記憶している地図データに応じた地図画像を発生する。
【００２１】
目的地履歴記憶部２６は図３に示すように少なくとも施設名称、該施設が目的地として設定された回数（目的地設定回数）、住所、位置データ（経緯度）が記憶された目的地履歴テーブルを保存している。施設データ記憶部２７は図示するように施設名、ジャンル、住所、電話番号、位置（経緯度）、および該施設のアイコンＩＤを記憶している。アイコン記憶部２８は施設データ記憶部２７に記憶されているアイコンＩＤに対応するアイコンを記憶しており、ショートカットアイコン読出部２９はアイコン記憶部２８よりアイコンＩＤに応じたアイコンを読み出す。
【００２２】
制御部３０はナビゲーション装置全体を制御すると共に、後述する本発明の目的地設定回数のカウントアップ、目的地設定回数が多い施設の抽出およびショートカットアイコンの表示制御、等を行う。ＲＯＭ３１は、各種ソフトウェアを記憶するものであり、上記制御用のソフトウェアのほかに、（１）誘導経路探索用ソフトウェア、（２）経路誘導ソフトウェア、等さまざまな制御プログラムが記憶されている。ＲＡＭ３２は誘導経路データ、各種処理結果を一時的に記憶する。誘導経路発生部３３は誘導経路を生成し、該誘導経路を画像合成部３４に入力する。画像合成部３４は、地図画像発生部２５が発生した地図画像や誘導経路発生部３３から入力された誘導経路、ショートカットアイコン読出部２９が読み出したショートカットアイコン等を合成し、表示部３５に入力し、表示部３５は画像合成部３４から入力された合成画像を表示する。操作部３６ａおよびタッチパネル３６ｂは目的地設定等の様々な操作を行う。案内音声発生部３７は経路誘導を行うための案内音声を発生し、スピーカ３８に入力する。スピーカ３８は案内音声発生部３７から入力された案内音声に基づき案内を行う。
【００２３】
図４は、目的地履歴テーブルにおける目的地設定回数の更新を行う処理フローである。
まず、制御部３０はユーザが目的地設定を開始したかの監視を行い（ステップＳ４０１）、目的地設定が開始された場合にはＳ４０２に進む。
Ｓ４０１において、目的地設定を開始した場合には、制御部３０は表示部３５に目的地設定方法選択のメニュー画面を表示し（ステップＳ４０２）、ユーザが該目的地設定方法選択のメニュー画面から目的地履歴設定を選択したかの監視を行い（ステップＳ４０３）、目的地履歴設定が選択された場合にはＳ４０４に進み、目的地設定が選択されなかった場合にはＳ４０８に進む。
【００２４】
Ｓ４０３において、目的地履歴設定が選択された場合には、制御部３０は表示部３５に目的地履歴設定の画面（目的地履歴リスト）を表示し（ステップＳ４０４）、リストからの施設選択による目的地設定が行われたかの監視を行い（ステップＳ４０５）、目的地設定が行われた場合にはＳ４０６に進む。
【００２５】
Ｓ４０５において、目的地設定が行われた場合には、制御部３０はユーザが選択した施設を目的地として設定し、誘導経路を算出する（ステップＳ４０６）。
【００２６】
次に、制御部３０は目的地履歴記憶部２６に保存されている目的地履歴テーブルにおける該施設の目的地設定回数をカウントアップし（ステップＳ４０７）、更新処理を終了する。
【００２７】
一方、Ｓ４０３において、目的地履歴設定が選択されなかった場合には、制御部３０は表示部３５に選択された目的地設定方法に応じた画面を表示し（ステップＳ４０８）、目的地設定が行われたかの監視を行い（ステップＳ４０９）、目的地設定が行われた場合にはＳ４１０に進む。
【００２８】
Ｓ４０９において、目的地設定が行われた場合には、制御部３０はユーザが選択した施設を目的地として設定し、誘導経路を算出する（ステップＳ４１０）。
【００２９】
ついで、制御部３０は目的地履歴記憶部２６に保存されている目的地履歴テーブルに目的地として設定された前記施設が記憶されているか調べ（ステップＳ４１１）、記憶されている場合にはＳ４０７に進み、記憶されていない場合にはＳ４１２に進む。
【００３０】
Ｓ４１１において、施設が目的地テーブルに記憶されている場合には、制御部３０は該目的地履歴テーブルにおける該施設の目的地設定回数をカウントアップする（ステップＳ４０７）。
【００３１】
また、Ｓ４１１において、施設が目的地履歴テーブルに記憶されていないと判断した場合には、制御部３０は目的地履歴記憶部２６の目的地履歴テーブルに該施設を目的地設定回数＝１として新規登録する（ステップＳ４１２）。以上により、更新処理が終了する。
【００３２】
図５は、本発明の第１実施例の目的地設定用のショートカットアイコンを表示する処理フローである。
まず、制御部３０は目的地履歴記憶部２６に保存されている目的地履歴テーブルを読み出す（ステップＳ５０１）。
【００３３】
次に、制御部３０は該目的地履歴テーブルに所定回数以上設定された施設があるか調べ（ステップＳ５０２）、ある場合にはＳ５０３に進み、ない場合にはＳ５０６に進む。
【００３４】
Ｓ５０２において、所定回数以上設定された施設がある場合には、制御部３０は該目的地履歴テーブルより一番多く設定された施設を抽出し（ステップＳ５０３）、ショートカットアイコン読出部２９は施設データ記憶部２７に記憶されている該施設の施設アイコンＩＤに対応付けされているアイコンをアイコン記憶部２８より読み出す（ステップＳ５０４）。
【００３５】
最後に、図１（ａ）に示すように制御部３０は地図２、自車位置３、方位マーク５、メニューボタン６、縮尺メニューボタン７ａ〜７ｃが表示された地図表示画面の所定位置に該施設アイコンをショートカットアイコン４として表示する（ステップＳ５０５）。
【００３６】
一方、Ｓ５０２おいて、所定回数以上設定された施設がない場合には、ショートカットアイコン４を表示しない通常の地図画面を表示部３５に表示する（ステップＳ５０６）。
ショートカットアイコンが図１（ａ）に表示されている状態において、該ショートカットアイコンを押下すると、制御部３０は該ショートカットアイコンに応じた施設データを施設データ記憶部２９より読み出し、該施設を目的地として経路探索する。
【００３７】
尚、本実施例では目的地設定回数が最多施設のショートカットアイコンを表示するようにしたが、所定期間に目的地設定回数が最多施設のショートカットアイコンを表示するようにしてもよい。また、複数のショートカットアイコンを表示するように構成することもできる。また、以上では、施設データ記憶部において、施設に応じたアイコンＩＤを記憶させたが、該アイコンＩＤを記憶させていない場合には施設のジャンルに応じたアイコンと施設名をショートカットアイコンとして表示するようにもできる。
【００３８】
以上、本実施例では、目的地設定回数が最多の施設に対応付けられているアイコンを地図表示画面上に表示するようにしたので、該アイコンを押下するだけで最多施設を目的地として設定でき、従来技術のようにユーザに目的地履歴リストから所望の施設を選択する時間と手間をかけさせることがない。
【００３９】
（Ｃ）第２実施例
図６は本発明の第２実施例のナビゲーション装置の構成図であり、図２の第１実施例のナビゲーション装置の構成図と同一の部分には同一の符号を付している。異なる点はショートカットアイコン読出部２９をメニュー画像発生部６１に変更した点である。
メニュー画像発生部６１は、アイコン記憶部２８よりアイコンＩＤに応じたアイコンを読み出したり、目的地設定方法選択のメニュー画面などの名称メニュー画面を発生する。
【００４０】
図７は本発明の第２実施例の目的地設定用のショートカットアイコンを表示する処理フローであり、目的地履歴テーブルにおける目的地設定回数の更新を行う処理は図４と同様の処理を行っている。
【００４１】
まず、制御部３０は目的地設定が開始されたかの監視を行い（ステップＳ７０１）、目的地設定が開始された場合にはＳ７０２に進む。
Ｓ７０１において、目的地が設定された場合は、目的地履歴記憶部２６に保存されている目的地履歴テーブルを読み出す（ステップＳ７０２）。
【００４２】
次に、制御部３０は該目的地履歴テーブルに所定回数以上設定された施設があるか調べ（ステップＳ７０３）、ある場合にはＳ７０４に進み、ない場合にはＳ７０７に進む。
【００４３】
Ｓ７０３において、所定回数以上設定された施設がある場合には、制御部３０は該目的地履歴テーブルより一番多く設定された施設を抽出してメニュー画像発生部６１に通知する（ステップＳ７０４）。これによりメニュー画像発生部６１は施設データ記憶部２７に記憶されている該通知された施設の施設アイコンＩＤに対応付けされているアイコンをアイコン記憶部２８より読み出し、図１（ｂ）に示すショートカットアイコンを含む目的地設定方法選択のメニュー画面８を発生する（ステップＳ７０５）。
【００４４】
最後に、図１（ｂ）に示すように制御部３０は表示画面１に該メニュー画面８を表示するように制御する。以上により、選択画面８に名称選択ボタン９ａ、ジャンル選択ボタン９ｂ、電話番号選択ボタン９ｃ、現在位置周辺選択ボタン９ｄ、登録地点選択ボタン９ｅ、目的地履歴選択ボタン９ｆ、住所選択ボタン９ｇ、前記施設のアイコンであるショートカットアイコン９ｈを含むメニュー画面８が表示部に表示される（ステップＳ７０６）。
【００４５】
一方、Ｓ７０３において、所定回数以上設定された施設がない場合には、メニュー画像発生部３７はショートカットアイコン９ｄを表示しない通常の目的地設定メニュー画面（図８（ｃ）参照）を発生し、制御部３０は該メニュー画面を表示部３５に表示する（ステップＳ７０８）。
ショートカットアイコンが図１（ｂ）に表示されている状態において、該ショートカットアイコン９ｈを押下すると、制御部３０は該ショートカットアイコン９ｈに応じた施設データを施設データ記憶部２９より読み出し、該施設を目的地として経路探索する。
【００４６】
尚、本実施例では目的地設定回数が最多施設のショートカットアイコンを表示するようにしたが、所定期間に目的地設定回数が最多施設のショートカットアイコンを表示するようにしてもよい。また、複数のショートカットアイコンを表示するように構成することもできる。
【００４７】
以上、本実施例では、目的地設定回数が最多の施設に対応付けられているアイコンを目的地設定メニュー画面上に表示するようにしたので、該アイコンを押下するだけで最多施設を目的地として設定でき、従来技術のようにユーザに目的地履歴リストから所望の施設を選択する時間と手間をかけさせることがない。
【符号の説明】
【００４８】
４     ショートカットアイコン
９ｈ   ショートカットアイコン
２６   目的地履歴記憶部
２７   施設データ記憶部
２８   アイコン記憶部
２９   ショートカットアイコン読出部
３０   制御部
６１   メニュー画像発生部
【図１】
2010210553.tif 000003
【図２】
2010210553.tif 000004
【図３】
2010210553.tif 000005
【図４】
2010210553.tif 000006
【図５】
2010210553.tif 000007
【図６】
2010210553.tif 000008
【図７】
2010210553.tif 000009
【図８】
2010210553.tif 000010
【図９】
2010210553.tif 000011